(57)【特許請求の範囲】
【請求項１】
水平断面が概ね菱形であって、容器本体と、蓋部材と、フック部材からなる給水容器であって、
前記容器本体は、液体収容部と、該液体収容部から横に延びた腕部によって支持された把持部を有する把手部を有し、
前記蓋部材は、前記容器本体を蓋する上平面部と、該上平面部に該蓋部材を摘むための摘み部を形成する一対の蓋凹部を有し、
前記フック部材は、前記上平面部に係合するフック上面と、前記容器本体の腕部の下側に係合する把手係合爪と、前記蓋凹部に係合する蓋係合爪を有し、変形した前記フック部材の復元力によって前記蓋部材を前記容器本体に押し付けるとともに、前記蓋部材が前記容器本体から外れることを阻止することを特徴とする給水容器。
【請求項２】
前記フック部材が、前記フック部材の取り外しを容易にするために、前記フック上面から上方へ延びた指掛け突起を有することを特徴とする請求項１に記載の給水容器。
【発明の詳細な説明】
【技術分野】
【０００１】
本発明は、給水容器、さらに詳しくは、航空機等に搭載して乗客に水、コーヒ等の飲用物を供給するに適し、かつ一定容積の小コンテナーやドローワー（引き出し）に無駄な空間なく収納できる給水容器であって、蓋閉め状態が強固で意図しないときに開蓋するおそれの少ない給水容器に関するものでる。
【背景技術】
【０００２】
従来、航空機等に搭載する給水容器として、直方体の樹脂製容器が使用され、また直方体の紙パックがそのまま給水容器として使用されている。直方体の容器においては、製造上の要求や意匠的配慮から１稜の中心部に注ぎ口を設けている。この場合、水等を注ぐために該直方体容器を傾けると、注ぎ口を設けた稜に液体等が一様に集まり、少しづつコップ等に注がれた量を見ながら注ぐことが困難である問題がある。
【０００３】
この問題は、航空機等のように揺れ動く床の上で立ったまま注ぎサービスを行うときに大きな弊害となる。さらに、注ぐことを容易にするために直方体容器に把手を設けると、該把手部の存在によって一定容積の小コンテナーやドローワー（引き出し）に無駄な空間なく収納することが実質上不可能になる問題も発生する。液体の注ぎ残りが多少発生する問題もある。
【０００４】
これらの問題を解決するため、断面が概ね菱形の給水容器が使用されている。これは、菱形断面の一方の鋭角隅部の最上部に注ぎ口を設け、他方の鋭角隅部の稜に垂直に延びた把手部を設けた構成である。この断面が概ね菱形の給水容器は、横向きにして、一定容積の小コンテナーやドローワー（引き出し）に無駄な空間を比較的小さくして収納することができる利点もある。
【０００５】
上述した菱形断面容器は、断面中央部が幅広となっているため、該菱形断面容器が急激に傾いた場合、菱形断面容器に収容した液体が大きな力で蓋の中央部分を押し、蓋を押し出してしまい、収容した液体を零してしまう恐れがある。従って、この菱形断面容器は、蓋が意図しないとき開かないように蓋閉じ状態を強固にすることが望ましい。
【０００６】
一般の樹脂等製の容器の蓋閉じ状態を強固にする技術としては、上下に組合う容器本体と蓋とを備え、前記容器本体および蓋は略同一の輪郭形状と容器深さを保つようにそれぞれの側壁を短形の底面および上面から垂直に延ばし、かつその縁端を内カールによって丸めて形成され、ピン部材からなる蝶番装置を前記容器本体および蓋の該一の側壁の間に設けてなる金属容器において、前記蝶番装置のピン部材を収める複数の節を前記容器本体および蓋の一の側壁の縁端に沿って相手の複数の節を受け入れる溝と交互に並び、しかも前記容器本体および蓋の双方の形状が該溝と共に同一形状を保つように形成し、前記蓋の該一の側壁と対面する他の側壁に縁端から面一を保って延在する舌部を設け、前記容器本体の該一の側壁と対面する他の側壁に前記舌部を受け入れるように該側壁の一部を内側に凹ませて凹部を形成し、前記容器本体と前記蓋とを該蝶番装置によって組合わせたとき、前記双方の節が相手の前記溝内に収まり、前記舌部が前記凹部に収まるように構成したことを特徴とする金属容器が提案されている（例えば、特許文献１参照）。
【０００７】
容器の蓋閉じ状態を強固にする他の従来の技術としては、弁当箱の液体すなわちつゆが零れ出ることを防止するために、容器本体と蓋部材の係合部に、Ｏリングすなわちパッキンを配置し、さらに容器本体と蓋部材の間を留め金によって結合させる構造が実施されている。
【０００８】
【特許文献１】特開平５−７５１５０号公報
【発明の開示】
【発明が解決しようとする課題】
【０００９】
本発明の給水容器の前提として、航空機等に搭載して乗客に水、コーヒ等の飲用物を供給するに適していること、一定容積の小コンテナーやドローワー（引き出し）に無駄な空間なく収納できることがあり、水平断面が概ね菱形であることが挙げられる。ここで、菱形あるいは概ね菱形とは、四辺の長さが等しく頂角が直角でないいわゆる菱形のみならず、正方形や四辺の長さが多少異なる変形菱形も含む概念である。
一方、給水容器は、一般に洗浄されて繰り返して使用されることから、部品点数が少なく、かつ個々の部品がなるべく単純で洗浄残りの恐れの少ない形状でなければならない。  このような条件において、特許文献１に開示された金属容器の構造は、上述した多くの点に関して好ましくない。また、上述したＯリング及び留め金を有する弁当箱の構造も、蓋閉じ状態を強固にする以外の点では好ましくない。
【００１０】
（発明の目的）
本発明は、従来の密封容器や給水容器に関する上述した問題点に鑑みてなされたものであって、航空機等に搭載して乗客に水、コーヒ等の飲用物を供給するに適し、一定容積の小コンテナーやドローワー（引き出し）に無駄な空間なく収納できるという条件を満たしつつ、蓋閉じ状態が強固で、構造が単純で、取り付け取り外しの操作が容易で、洗浄も容易な給水容器を提供することを目的とする。
【課題を解決するための手段】
【００１１】
本発明は、水平断面が概ね菱形であって、容器本体と、蓋部材と、フック部材からなる給水容器であって、
前記容器本体は、液体収容部と、該液体収容部から横に延びた腕部によって支持された把持部を有する把手部を有し、
前記蓋部材は、前記容器本体を蓋する上平面部と、該上平面部に該蓋部材を摘むための摘み部を形成する一対の蓋凹部を有し、
前記フック部材は、前記上平面部に係合するフック上面と、前記容器本体の腕部の下側に係合する把手係合爪と、前記蓋凹部に係合する蓋係合爪を有し、変形した前記フック部材の復元力によって前記蓋部材を前記容器本体に押し付けるとともに、前記蓋部材が前記容器本体から外れることを阻止することを特徴とする給水容器である。
【００１２】
本発明の実施態様は、以下のとおりである。
前記フック部材が、前記フック部材の取り外しを容易にするために、前記フック上面から上方へ延びた指掛け突起を有することを特徴とする。
【発明の効果】
【００１３】
本発明の給水容器によれば、航空機等に搭載して乗客に水、コーヒ等の飲用物を供給するに適し、一定容積の小コンテナーやドローワー（引き出し）に無駄な空間なく収納できるという条件を満たしつつ、蓋閉じ状態が強固で、構造が単純で、取り付け取り外しの操作が容易で、洗浄も容易である効果を得ることができる。
【発明を実施するための最良の形態】
【００１４】
以下、本発明の実施形態の給水容器を図に基づいて説明する。図１は、本発明の実施形態の給水容器の容器本体の平面図である。図２は、本発明の実施形態の給水容器の容器本体の右側面図である。図３は、本発明の実施形態の給水容器の容器本体の、図１及び図２の線III−IIIに沿った断面図である。図４は、本発明の実施形態の給水容器の蓋部材の平面図である。図５は、本発明の実施形態の給水容器の蓋部材の、図４の線Ｖ−Ｖに沿った断面図である。図６は、本発明の実施形態の給水容器のフック部材の平面図である。図７は、本発明の実施形態の給水容器のフック部材の、図６及び図８の線VII−VIIに沿った断面図である。図８は、本発明の実施形態の給水容器のフック部材の右側面図である。図９は、本発明の実施形態の給水容器の断面図である。
【００１５】
給水容器１は、図９に示すように、容器本体１０と、蓋部材３０と、フック部材５０とからなる。耐熱温度１００℃のポリカーボネイト、ポロプロピレン等の樹脂製の容器本体１０は、図１に示すように、水平断面が概ね菱形であって、図１ないし図３に示すように、液体収容部１２と、把手部１４からなる。液体収容部１２は、容器本体１０の左側３／４を占める。液体収容部１２の前後側面には、意匠的目的及び剛性を高める目的の縦凹部１８が形成されている。
【００１６】
把手部１４は、容器本体１０の右側１／４を占める。把手部１４は、概ね菱形の水平断面を維持するような外形である。把手部１４の上側２／３には、上腕部２０、下腕部２１、握り部２２によって、握り部２２を掴む指が入る把手空間２３が形成されている。把手部１４の上端部２４は、先端側が低くなるように傾斜している。液体収容部１２と把手部１４の境界壁２５の上端部には、テイーバッグを吊るすための一対のテイーバッグ切り込み２６、２７が形成されている。
【００１７】
耐熱温度１００℃のポリカーボネイト、ポロプロピレン等の樹脂製の蓋部材３０は、水平断面が概ね菱形であって、図４及び図５に示すように、蓋機能をなす蓋上面３２と、把手部１４の上端部２４に載置され、把手部１４の上端部を蓋する蓋傾斜面３４と、一対の蓋凹み３６、３７からなる摘み部４０と、上面３２の左側先端に形成された給水口４２とを有する。蓋部材３０は、また、蓋上面３２から容器本体１０の液体収容部１２の内面に沿って下方に延びた嵌合スカート部４４を有する。
【００１８】
ポリカーボネート、ＡＢＳ樹脂等の樹脂製のフック部材５０は、図６ないし図８に示すように、蓋部材３０の傾斜面３４の上に組み合うフック傾斜面５２と、蓋部材３０の上面３２に部分的に組み合うフック上面５４と、把手部１４の側面の上端部を抱え込むフック側面５６，５８を有する。フック上面５４の先端部には、蓋凹み３６、３７に係合するために垂直下方へ延びた一対の蓋係合爪６０，６２、及びフック部材５０を蓋部材３０から取り外すために指を掛ける垂直上方へ延びた指掛け突起６８を有する。フック側面５６，５８のそれぞれの下端部には、把手部１４の上腕部２０に係合するために内側を向いて水平に延びた把手係合爪７０、７２が形成されている。
【００１９】
次に、上述した構成の容器本体１０と蓋部材３０とフック部材５０とからなる給水容器１の使用方法について説明する。容器本体１０の液体収容部１２に所望量の液体を充填して、蓋部材３０によって蓋する。液体収容部１２と嵌合スカート部４４は、きつい嵌合をなすようにそれぞれの寸法が決められているため、この状態でも蓋閉めはある程度強固である。しかし、航空機内で使用され、乱気流等で衝撃が加わった場合には、充填された液体によって蓋部材３０が押し開かれる恐れがある。
【００２０】
次に、フック部５０を、蓋傾斜面３４の上を押し進めて、フック部５０の弾性を利用して、蓋係合爪６０，６２を蓋凹み３６、３７に係合させ、把手係合爪７０、７２を把手部１４の上腕部２０に係合させる。この結果、フック部５０の弾性復元力によって、蓋部材３０には、上面３２及び蓋係合爪６０，６２を介して下向き及び把手部１４向きの力が作用し、大きな蓋閉じ力が働く。
【００２１】
フック部５０の取り外しは、フック部５０の指掛け突起６８を握り部２２の方向へ移動させる。このようにすると、最初に蓋係合爪６０，６２が蓋凹み３６、３７から外れ、次に把手係合爪７０、７２が把手部１４の上腕部２０から外れ、蓋部材３０の開蓋が可能になる。
【図面の簡単な説明】
【００２２】
【図１】図１は、本発明の実施形態の給水容器の容器本体の平面図である。
【図２】図２は、本発明の実施形態の給水容器の容器本体の右側面図である。
【図３】図３は、本発明の実施形態の給水容器の容器本体の、図１及び図２の線III−IIIに沿った断面図である。
【図４】図４は、本発明の実施形態の給水容器の蓋部材の平面図である。
【図５】図５は、本発明の実施形態の給水容器の蓋部材の、図４の線Ｖ−Ｖに沿った断面図である。
【図６】図６は、本発明の実施形態の給水容器のフック部材の平面図である。
【図７】図７は、本発明の実施形態の給水容器のフック部材の、図６及び図８の線VII−VIIに沿った断面図である。
【図８】図８は、本発明の実施形態の給水容器のフック部材の右側面図である。
【図９】図９は、本発明の実施形態の給水容器の断面図である。
【符号の説明】
【００２３】
１            給水容器
１０          容器本体
１２          液体収容部
１４          把手部
１８          縦凹部
２０          上腕部
２１          下腕部
２２          握り部
２５          境界壁
３０          蓋部材
３２          蓋上面
３４          蓋傾斜面
３６、３７    蓋凹み
４０          摘み部
４２          給水口
４４          嵌合スカート部
５０          フック部材
５２          フック傾斜面
５４          フック上面
５６，５８    フック側面
６０，６２    蓋係合爪
６８          指掛け突起
７０、７２    把手係合爪
【図１】
0004745799.tif 000002
【図２】
0004745799.tif 000003
【図３】
0004745799.tif 000004
【図４】
0004745799.tif 000005
【図５】
0004745799.tif 000006
【図６】
0004745799.tif 000007
【図７】
0004745799.tif 000008
【図８】
0004745799.tif 000009
【図９】
0004745799.tif 000010